(57)【要約】【課題】一つの透明電極面においてコマ収差と非点収差を効率よく補正できる収差補正素子、光ヘッドおよびそれを用いた光ディスク装置を提供することを目的とする。【解決手段】透明電極の略中心部に第１の円形分割線を配置し、第１の円形分割線の外側に、第１の円形分割線と同心円状に第２の円形分割線を配置し、第１の円形分割線と第２の円形分割線の間の領域を略等間隔に配置された複数の分割線によって放射状に分割することによって、例えば、８本の分割線によって分割することによって、互いに直交の関係を持つラジアル方向のコマ収差とタンジェンシャル方向のコマ収差のどちらの補正にも対応することができる。【選択図】  図４
2010040070.tif 000002
【特許請求の範囲】
【請求項１】
印加された電界に応じて屈折率が変化する液晶層と、
前記液晶層を挟むように配設された一組の透明電極と、
を有する収差補正素子であって、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の複数の分割線によって放射状に分割されていることを特徴とする収差補正素子。
【請求項２】
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されていることを特徴とする請求項１記載の収差補正素子。
【請求項３】
半導体レーザから出射されたレーザ光を光ディスクに向けて集光するとともに、前記光ディスクから反射した戻りレーザ光を受ける対物レンズと、
前記半導体レーザと前記対物レンズの間の光路上に設けられ印加された電界に応じて屈折率が変化する液晶層と前記液晶層を挟むように配設された一組の透明電極を有する収差補正素子と、を備え、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の複数の分割線によって放射状に分割されていることを特徴とする光ヘッド。
【請求項４】
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されていることを特徴とする請求項３記載の光ヘッド。
【請求項５】
前記８本の分割線の内の１本の分割線が、前記第１の円形分割線の中心を通り前記光ディスクのラジアル方向の軸線に対して２２．５度の角度を持った直線上に配置されていることを特徴とする請求項４記載の光ヘッド。
【請求項６】
半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極を有する収差補正素子と、を備えた光ヘッドと、
前記光ヘッドの光検出器の出力から前記光ディスクの情報の再生信号を演算処理する演算回路と、を備えた光ディスク装置であって、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されていることを特徴とする光ディスク装置。
【請求項７】
前記８本の分割線の内の１本の分割線が、前記第１の円形分割線の中心を通り前記光ディスクのラジアル方向の軸線に対して２２．５度の角度を持った直線上に配置されていることを特徴とする請求項６記載の光ディスク装置。
【発明の詳細な説明】
【技術分野】
【０００１】
本発明は、収差補正素子、それを用いた光ヘッド及び光ディスク装置に関するものである。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスクであるＢＤ(Blu-ray Disc)規格やＨＤ ＤＶＤ(High Definition Digital Versatile Disk)規格の光ディスクも実用化されている。
【０００３】
前記光ディスクへの記録や記録された情報を再生するための光ディスク装置の一部には、光ディスクの傾き、光ディスクの厚さ（光ディスクの外表面から記録層までの距離）のばらつき、光学素子や光ヘッドの組み立てにおける誤差等によって生ずるコマ収差、球面収差、非点収差等の収差を補正するため収差補正素子が用いられている。
【０００４】
例えばＤＶＤ規格においては２層記録の光ディスクが含まれており、１層目と２層目では光ディスクの外表面から記録層までの距離が約５５μｍほど異なる。従って光ディスクの厚さのばらつき以前に２層記録の光ディスクは球面収差を発生させる要因が存在している。またコマ収差は対物レンズの光軸と光ディスクの記録面の傾きによって発生し、タンジェンシャル方向（光ディスクのトラックの接線方向）の傾きによるコマ収差とラジアル方向（光ディスクの半径方向）の傾きによるコマ収差がある。
【０００５】
液晶を用いた収差補正素子は、液晶層とこの液晶層を挟むように配置されたガラス基板、ガラス基板の液晶層と接する面側に液晶に電界を印加する透明電極が配設されている。透明電極は収差の分布形状に合わせて複数のパターンに分割されている。液晶層の数をｎ(ｎは自然数)とすれば透明電極の面数は２ｎ、ガラス基板の数はｎ＋１となり、液晶層の数１、透明電極の面数２、ガラス基板２が最小構成となる。
【０００６】
液晶層の数および透明電極の面数を増加するとガラス基板の数が増大し液晶素子の厚さと重さが増加する。厚い液晶素子は高密度に集積された光ヘッド内の部品配置を圧迫し、ひいては光ヘッドの設計自由度を低下させる要因となる。このため上記した最小構成の液晶素子で効率よく収差を補正することが求められる。
【０００７】
一例として、一方の透明電極面で光ディスクのラジアル方向のコマ収差を補正し、他方の透明電極面で光ディスクのタンジェンシャル方向のコマ収差と非点収差を補正する方法が考案されている。この一つの透明電極面でコマ収差と非点収差を補正する場合に透明電極面の中心部でコマ収差を補正し、外周部で非点収差を補正する透明電極のパターンが考えられている。（例えば特許文献１参照。）。
【特許文献１】特開２００５−１２２８２８号公報
【発明の開示】
【発明が解決しようとする課題】
【０００８】
例えば、特許文献１のような透明電極の分割パターンでは、外周部の非点収差を補正するパターンが、光束の有効範囲におけるコマ収差の外周部分の分布パターンと整合しておらず、コマ収差の外周部の補正に対して十分な収差低減の性能が得られなかった。またコマ収差は、光ディスクのラジアル方向（半径方向）とこれと直角なタンジェンシャル方向の２通りがあり、例えば、ラジアル方向のコマ収差を補正する分割パターンとした場合にはタンジェンシャル方向のコマ収差が精度よく補正できないという問題があった。
【０００９】
一方、一つの透明電極面でコマ収差と非点収差を精度良く補正するには、それぞれの収差の分布パターンに合うように透明電極の分割数を増やしてやればよい。しかしながら、電極数を増やすと、収差を補正する性能は向上するが、電極数が増えることによって信号線が増えたり、また駆動回路が複雑になるなどの問題がある。従って、透明電極の分割数はできるだけ少なくしながら、効率良く収差を補正できる透明電極の分割パターンが望まれている。
【００１０】
本発明は上記問題点を解決するためになされたもので、一つの透明電極面においてコマ収差と非点収差を効率よく補正できる収差補正素子、光ヘッドおよびそれを用いた光ディスク装置を提供することを目的とする。
【課題を解決するための手段】
【００１１】
上記目的を達成するために、本発明の収差補正素子は、印加された電界に応じて屈折率が変化する液晶層と、前記液晶層を挟むように配設された一組の透明電極と、を有する収差補正素子であって、前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の複数の分割線によって放射状に分割されていることを特徴とする。
【００１２】
また、本発明の光ヘッドは、半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極を有する収差補正素子と、を備え、前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の複数の分割線によって放射状に分割されていることを特徴とする。
【００１３】
また、本発明の光ディスク装置は、半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極を有する収差補正素子と、を備えた光ヘッドと、前記光ヘッドの光検出器の出力から前記光ディスクの情報の再生信号を演算処理する演算回路と、を備えた光ディスク装置であって、前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されていることを特徴とする。
【発明の効果】
【００１４】
本発明によれば、一つの透明電極面でコマ収差と非点収差を効率よく補正することができる。
【発明を実施するための最良の形態】
【００１５】
以下本発明の実施例について図面を参照しながら説明する。図１は本発明の実施の形態が適用可能な光ディスク装置の構成の一例を示す図である。図１に示す光ディスク装置１は、光ヘッド２を有する。光ヘッド２は、所定の波長のレーザ光１２を出力する半導体レーザ素子３を含む。なお、半導体レーザ素子３から出射されるレーザ光１２の波長は、光ディスク１０がＣＤ系であれば７８０ｎｍ、ＤＶＤ系であれば６５０ｎｍ、ＢＤ／ＨＤ ＤＶＤ系であれば４０５ｎｍである。
【００１６】
半導体レーザ素子３からのレーザ光１２は、偏光ビームスプリッタ４を通過した後、コリメートレンズ５よりコリメートされ、液晶素子６、λ／４板および回折素子７を透過し、対物レンズ８により、光ディスク１０の記録再生面１０ａに集光される。ＤＶＤ系、ＢＤ／ＨＤ ＤＶＤ系は記録再生面が多層の場合がある。
【００１７】
光ディスク１０の記録再生面１０ａに集光されたレーザ光１２は、記録再生面１０ａで反射され、反射レーザ光１３として対物レンズ８に戻され、λ／４板および回折素子７、液晶素子６、コリメートレンズ５を透過して偏光ビームスプリッタ４に戻される。偏光ビームスプリッタ４に戻された反射レーザ光１３は、偏光ビームスプリッタ４の反射面４ａで反射され、光検出器１１の受光面に結像される。
【００１８】
光検出器１１の受光面は、通常、所定形状かつ複数に分割されており、それぞれの受光領域において受光された光ビームの光強度に応じた電流が出力される。個々の受光領域から出力された電流は、図示しないＩ／Ｖ（電流−電圧）変換アンプにより電圧信号に変換された後、演算回路１４により、ＲＦ（再生）信号、フォーカスエラー信号およびトラックエラー信号等に利用可能に、演算処理される。なお、ＲＦ（再生）信号は、詳述しないが、所定の信号形式に変換され、もしくは所定のインタフェースを通じて、例えば一時記憶装置または外部記憶装置等に出力される。
【００１９】
演算回路１４により得られた信号はまた、サーボドライバ１５に供給され、対物レンズ８の焦点位置に所定のサイズで形成される光スポットを、対物レンズ８と光ディスク１０の記録再生面１０ａとの間の距離に一致するよう、対物レンズ８の位置を変化させるためのフォーカスエラー信号の生成に利用される。なお、フォーカスエラー信号は、対物レンズ８の位置を変位させるアクチュエータ９に対して対物レンズ８の位置を変化させるためのフォーカス制御信号を得るために利用され、フォーカスエラー信号に基づいて生成されたフォーカス制御信号が、アクチュエータ９に供給される。アクチュエータ９はこれにより、アクチュエータ９に保持された対物レンズ８は、光ディスク１０の記録再生面１０ａに対して、接近し、あるいは離れる方向（図１における左右方向）に、任意に移動される。
【００２０】
演算回路１４により得られた信号はまた、サーボドライバ１５に供給され、対物レンズ８の焦点位置に集光されたレーザ光１４の光スポットが光ディスク１０の記録再生面１０ａに記録されている記録マーク列もしくは予め形成されている案内溝すなわちトラックの概ね中心に案内されるよう対物レンズ８の位置を変化させるためのトラッキングエラー信号の生成に利用される。
【００２１】
なお、トラッキングエラー信号は、対物レンズ８の位置を変位させるアクチュエータ９に対して対物レンズ８の位置を所定の位置に変化させるためのトラッキング制御信号を得るために利用され、トラッキングエラー信号に基づいて生成されたトラッキング制御信号が、アクチュエータ９に供給される。従って、アクチュエータ９に保持された対物レンズ８は、光ディスク１０の記録再生面１０ａのラジアル方向すなわちトラックまたは記録マーク列と交差する方向に、任意に移動される。
【００２２】
すなわち、対物レンズ８は、サーボドライバ１５により、光ディスク１０の記録再生面１０ａに形成されているトラックまたは記録マーク列に、対物レンズ９により集光された光スポットの大きさが、その焦点距離において最小となるように、逐次制御される。
【００２３】
次に液晶素子６について説明する。図２は液晶素子６の断面図である。ガラス基板１６、１７の間に液晶分子を含む液晶層１８が配設されている。ガラス基板１６、１７の内側表面（液晶層１８側の面）には液晶に電界を印加する第１の透明電極１９と第２の透明電極２０が形成されている。ガラス基板１６、１７の厚さは約０．５ｍｍ、液晶層１８の厚さは数μｍ〜数十μｍ（マイクロメートル）である。この液晶素子６の全体の厚さは約１ｍｍである。第１及び第２の透明電極１９、２０は収差の分布状態によって複数の領域に分割されている。外形は数ｍｍ角の正方形あるいはそれに近い長方形、または面積がほぼ同じような円形であってもよい。液晶素子６の動作は、サーボドライバ１５によって制御されている。
【００２４】
球面収差、コマ収差、非点収差の３種類の収差を補正するとき、透明電極は２面しかないため、少なくとも一方の透明電極にて上記３種類の内２種類を補正する必要がある。本実施例においては、第１の透明電極１９で球面収差を補正し、第２の透明電極２０でコマ収差と非点収差を補正する透明電極の分割パターンを示している。第１の透明電極１９でコマ収差と非点収差を補正し、第２の透明電極２０で球面収差を補正してもよい。
【００２５】
図３は球面収差を補正する第１の透明電極１９の分割パターンを示す図である。透明電極１９は球面収差の分布形態に対応して同心状の円環領域２１ａ〜２１ｄと外周およびその外側部２１ｅに分割されている。1点鎖線で示す円は対物レンズの有効範囲（光ビームの有効範囲）２２を示す。球面収差を精度よく補正するには透明電極１９を細かく分割してできるだけ球面収差の分布曲線に近似させることであるが、配線や駆動回路等が複雑となりコストも掛かるので、本実施例においては上述のように５分割としている。図面の中央の横線はラジアル方向の軸線である。
【００２６】
図４は、本発明による透明電極２０の分割パターンの実施例を示す図である。コマ収差と非点収差を同時に補正する第２の透明電極２０の分割パターンを示している。第２の透明電極２０の略中心部に第１の円形分割線２３が配置されている。第１の円形分割線２３の外側に、第１の円形分割線２３と同心円状に第２の円形分割線２４が配置されている。第１の円形分割線２３と第２の円形分割線２４の間の領域は、略等間隔に配置された複数の分割線によって放射状に分割されている。図４では、分割線２５ａ〜２５ｈの８本の分割線が、第１の円形分割線２３の中心を中心とする略扇角４５度の間隔で配置されている。
【００２７】
第１の円形分割線２３、第２の円形分割線２４、分割線２５ａ〜２５ｈによって、第２の透明電極２０は、第１の円形分割線２３の内側の中心部の円形領域２６、半扇形の領域２７ａ〜２７ｈ、第２の円形分割線２４の外側の外縁領域２８の１０個の領域に分割される。
【００２８】
分割線２５ａ〜２５ｈの８本の分割線の内の１本の分割線２５ａは、第１の円形分割線の中心を通り前記光ディスクのラジアル方向の軸線に対して略２２．５度の角度を持った直線上に配置されている。略２２．５度傾けても、タンジェンシャル方向の軸線２９に対してもラジアル方向の軸線３０に対しても分割パターンの対称性は維持される。
【００２９】
図５はコマ収差の分布の例を示す図である。コマ収差は対物レンズの光軸と光ディスクの記録面の傾きによって発生し、タンジェンシャル方向（光ディスクのトラックの接線方向）の傾きによるコマ収差とラジアル方向（光ディスクの半径方向）の傾きによるコマ収差がある。図５（ａ）は対物レンズの有効範囲におけるラジアル方向のコマ収差の分布を示す図である。図５（ｂ）は図５（ａ）の分布のラジアル方向の軸上におけるコマ収差の大きさの分布状態を示す図である。タンジェンシャル方向のコマ収差もほぼ同様の分布状態を示す。コマ収差は光軸を挟んで大体点対称の分布をしており、外周部において位相が逆向きで大きな収差が発生する。図５（ａ）に示すように、ラジアル方向の収差成分だけを考えた場合には、コマ収差の変化の大きい範囲の分布は、ラジアル軸から約６５〜７０度の角度範囲にある場合が多い。分割線２５ａを光ディスクのラジアル方向の軸線に対して２２．５度の角度を持たせることで、コマ収差の発生パターンと透明電極の分割パターンの位置を合わせることができる。
【００３０】
図４に示す分割パターンとすることで、互いに直交の関係を持つラジアル方向のコマ収差とタンジェンシャル方向のコマ収差のどちらの補正にも対応することができる。また、ラジアル軸−タンジェンシャル軸方向の非点収差とラジアル軸−タンジェンシャル軸に対して４５度傾いた方向の非点収差のどちらの補正にも対応することができる。
【００３１】
図６は、第２の円形分割線２４（外側円）の大きさとコマ収差、非点収差の大きさの関係を示す図である。外側円の大きさは、光ビームの有効領域の直径を１として示している。外側円の大きさが０．８程度のときは、コマ収差に比べて非点収差の方が大きいが、大きさが０．９７付近で逆転し、１になるとコマ収差の方が大きくなっている。図６に示すように、外側円（第２の円形分割線２４）の大きさを０．９７程度にすると、コマ収差と非点収差の補正配分を５０対５０にすることができる。
【００３２】
図７は、第１の円形分割線２３（内側円）の大きさと、コマ収差、非点収差の大きさの関係を示した図である。内側円の大きさは、光ビームの有効領域の直径を１として示している。内側円の大きさが０．１５から０．３７に変化した場合、コマ収差は上昇するが、非点収差は下降する。内側円の大きさを０．２程度にしておけば補正効果が十分に得られる。
【００３３】
第１の円形分割線２３（内側円）と第２の円形分割線２４（外側円）の大きさを変えることで、光ヘッド２の特性や光ディスク装置１のコマ収差、非点収差に対する許容値に合わせてコマ収差、非点収差の補正配分を変更することが可能である。
【００３４】
図８は、ラジアル軸−タンジェンシャル軸方向の非点収差を補正する場合の透明電極２０の駆動パターンを示す図である。図４で説明した透明電極２０の分割パターンの内２７ｂ、２７ｄ、２７ｆ、２７ｈの領域に電界を印加する。非点収差は光軸中心に対して点対称であるので、２７ｂと２７ｆの領域の電界の印加の方向は同じであり、２７ｄと２７ｈの領域は、２７ｂと２７ｆの領域と逆方向である。図８に示す第１の円形分割線２３（内側円）の大きさは約０．２５であり、第２の円形分割線２４（外側円）の大きさは約０．９５である。
【００３５】
図９は、ラジアル軸−タンジェンシャル軸に対して４５°傾いた方向の非点収差を補正する場合の透明電極２０の駆動パターンを示す図である。図４で説明した透明電極２０の分割パターンの内２７ａ、２７ｃ、２７ｅ、２７gに電界を印加する。非点収差は光軸中心に対して点対称であるので、２７ａと２７ｅの電界の印加の方向は同じであり、２７ｃと２７ｇは、２７ａと２７ｅと逆方向である。図９に示す第１の円形分割線２３（内側円）と第２の円形分割線２４（外側円）の大きさは、図８の示した値と同じである。
【００３６】
図１０は、ラジアル方向のコマ収差を補正する場合の透明電極２０の駆動パターンを示す図である。図４で説明した透明電極２０の分割パターンの内２７ａ、２７ｃ、２７ｄ、２７ｅ、２７ｇ、２７ｈに電界を印加する。ラジアル方向のコマ収差は図５（ｂ）に示したようにタンジェンシャル方向の軸線２９に対して対称であるので、２７ａ、２７ｇ、２７ｈの電界の印加の方向は同じであり、２７ｃ、２７ｄ、２７ｅは、２７ａ、２７ｇ、２７ｈと逆方向である。図１０に示す第１の円形分割線２３（内側円）と第２の円形分割線２４（外側円）の大きさは、図８の示した値と同じである。
【００３７】
図１１は、タンジェンシャル方向のコマ収差を補正する場合の透明電極２０の駆動パターンを示す図である。図４で説明した透明電極２０の分割パターンの内２７ａ、２７ｂ、２７ｃ、２７ｅ、２７ｆ、２７ｇに電界を印加する。タンジェンシャル方向のコマ収差はラジアル方向の軸線３０に対して対称であるので、２７ａ、２７ｂ、２７ｃの電界の印加の方向は同じであり、２７ｅ、２７ｆ、２７ｇは、２７ａ、２７ｂ、２７ｃと逆方向である。図１１に示す第１の円形分割線２３（内側円）と第２の円形分割線２４（外側円）の大きさは、図８の示した値と同じである。
【００３８】
以上のように、第２の透明電極２０の略中心部に第１の円形分割線２３を配置し、第１の円形分割線２３の外側に、第１の円形分割線２３と同心円状に第２の円形分割線２４を配置し、第１の円形分割線２３と第２の円形分割線２４の間の領域を略等間隔に配置された複数の分割線によって放射状に分割することによって、例えば、分割線２５ａ〜２５ｈの８本の分割線によって分割することによって、互いに直交の関係を持つラジアル方向のコマ収差とタンジェンシャル方向のコマ収差のどちらの補正にも対応することができる。また、ラジアル軸−タンジェンシャル軸方向の非点収差とラジアル軸−タンジェンシャル軸に対して４５°傾いた方向の非点収差のどちらの補正にも対応することができる。
【００３９】
本発明は以上の構成に限定されるもではなく種々の変形が可能である。
【図面の簡単な説明】
【００４０】
【図１】本発明の実施の形態が適用可能な光ディスク装置の構成の一例を示す図。
【図２】液晶素子の断面図。
【図３】球面収差を補正する透明電極の分割パターンを示す図。
【図４】コマ収差と非点収差を同時に補正する透明電極の分割パターンを示す図
【図５】コマ収差の分布の例を示す図。
【図６】第２の円形分割線の大きさとコマ収差、非点収差の大きさの関係を示す図。
【図７】第１の円形分割線の大きさとコマ収差、非点収差の大きさの関係を示す図。
【図８】ラジアル軸−タンジェンシャル軸方向の非点収差を補正する場合の透明電極の駆動パターンを示す図。
【図９】ラジアル軸−タンジェンシャル軸に対して４５°傾いた方向の非点収差を補正する場合の透明電極の駆動パターンを示す図
【図１０】ラジアル方向のコマ収差を補正する場合の透明電極の駆動パターンを示す図。
【図１１】タンジェンシャル方向のコマ収差を補正する場合の透明電極の駆動パターンを示す図。
【符号の説明】
【００４１】
１  光ディスク装置
２  光ヘッド
３  半導体レーザ
６  液晶素子
８  対物レンズ
９  アクチュエータ
１０  光ディスク
１４  演算回路
１５  サーボドライバ
１６  ガラス基板
１７  ガラス基板
１８  液晶層
１９  第１の透明電極
２０  第２の透明電極
２１ａ〜２１ｄ  円環領域
２２  有効領域
２３  第１の円形分割線
２４  第２の円形分割線
２５ａ〜２５ｈ  分割線
２６  円形領域２６
２７ａ〜２７ｈ  半扇形の領域
２８  外縁領域２８
【図１】
2010040070.tif 000003
【図２】
2010040070.tif 000004
【図３】
2010040070.tif 000005
【図４】
2010040070.tif 000006
【図５】
2010040070.tif 000007
【図６】
2010040070.tif 000008
【図７】
2010040070.tif 000009
【図８】
2010040070.tif 000010
【図９】
2010040070.tif 000011
【図１０】
2010040070.tif 000012
【図１１】
2010040070.tif 000013
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
印加された電界に応じて屈折率が変化する液晶層と、前記液晶層を挟むように配設された一組の透明電極と、を有し、半導体レーザから出射されたレーザ光の収差を補正する収差補正素子であって、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されており、前記レーザ光の有効領域の直径を１とした場合、前記第１の円形分割線の直径は０．２から０．３５であり、前記第２の円形分割線の直径は０．８５から１であることを特徴とする収差補正素子。
【請求項２】
半導体レーザから出射されたレーザ光を光ディスクに向けて集光するとともに、前記光ディスクから反射した戻りレーザ光を受ける対物レンズと、
前記半導体レーザと前記対物レンズの間の光路上に設けられ印加された電界に応じて屈折率が変化する液晶層と前記液晶層を挟むように配設された一組の透明電極を有する収差補正素子と、を備え、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されており、前記レーザ光の有効領域の直径を１とした場合、前記第１の円形分割線の直径は０．２から０．３５であり、前記第２の円形分割線の直径は０．８５から１であることを特徴とする光ヘッド。
【請求項３】
半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極を有する収差補正素子と、を備えた光ヘッドと、
前記光ヘッドの光検出器の出力から前記光ディスクの情報の再生信号を演算処理する演算回路と、を備えた光ディスク装置であって、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されており、前記レーザ光の有効領域の直径を１とした場合、前記第１の円形分割線の直径は０．２から０．３５であり、前記第２の円形分割線の直径は０．８５から１であることを特徴とする光ディスク装置。
【請求項４】
半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極を有する収差補正素子と、を備えた光ヘッドと、前記透明電極へ電圧を印加することにより、前記液晶層へ電界を印加するサーボドライバと、前記光ヘッドの光検出器の出力から前記光ディスクの情報の再生信号を演算処理する演算回路と、を備えた光ディスク装置であって、
前記一組の透明電極の少なくとも一方は、略中心部に配置された第１の円形分割線と前記第１の円形分割線の外側で略同心円状に配置された第２の円形分割線を有し、前記第１の円形分割線と前記第２の円形分割線の間の領域が略等間隔の８本の分割線によって放射状に分割されることにより１０個の領域に分割されており、かつ前記レーザ光の有効領域の直径を１とした場合、前記第１の円形分割線の直径は０．２から０．３５であり、前記第２の円形分割線の直径は０．８５から１であり、
前記サーボドライバは、コマ収差を補正する第１のパターンおよび非点収差を補正する第２のパターンとに前記領域を駆動して、前記コマ収差および前記非点収差を同時に補正することを特徴とする光ディスク装置。